(57)【要約】【課題】洗濯の手間を無くし、外出時の荷物を減らすとともに、簡単に装着でき、着用中にずれにくくする。【解決手段】吸収体４と、前記吸収体４の一方の面側に配置される撥水性の第１シート２と、前記吸収体４の他方の面側に配置される親水性の第２シート３とを備えた子供用使い捨てパッド１である。本体部５と、前記本体部５の上端から連続して上方に延びる延出部６とが備えられている。前記本体部５が前記延出部６より幅狭に形成されるとともに、前記本体部５と延出部６との境界部分の両側部にそれぞれ、幅方向中央側に向けた切り込み部７が設けられている。【選択図】図１
2020139236.tif 000002
【特許請求の範囲】
【請求項１】
吸収体と、前記吸収体の一方の面側に配置される撥水性の第１シートと、前記吸収体の他方の面側に配置される親水性の第２シートとを備えた子供用使い捨てパッドであって、
本体部と、前記本体部の上端から連続して上方に延びる延出部とが備えられ、
前記本体部が前記延出部より幅狭に形成されるとともに、前記本体部と延出部との境界部分の両側部にそれぞれ、幅方向中央側に向けた切り込み部が設けられていることを特徴とする子供用使い捨てパッド。
【請求項２】
前記第２シートは、親水性のセルロース系繊維を含有する請求項１記載の子供用使い捨てパッド。
【請求項３】
前記第１シートは、撥水性の不織布からなる請求項１、２いずれかに記載の子供用使い捨てパッド。
【請求項４】
前記本体部及び延出部にそれぞれ、所定の間隔で複数の中央圧搾部が設けられている請求項１〜３いずれかに記載の子供用使い捨てパッド。
【請求項５】
前記吸収体の周縁に沿って、所定の間隔で複数の周縁圧搾部が設けられ、隣り合う前記周縁圧搾部同士の間隔は、隣り合う前記中央圧搾部同士の間隔より狭い請求項４記載の子供用使い捨てパッド。
【請求項６】
前記延出部の外形線は、外方に膨出する滑らかな単一の曲線からなるか、外方に膨出する複数の曲線を連設してなる請求項１〜５いずれかに記載の子供用使い捨てパッド。
【請求項７】
前記延出部の両側部にそれぞれ、一端が固定された紐が備えられている請求項１〜６いずれかに記載の子供用使い捨てパッド。
【請求項８】
前記紐は、前記第１シート及び第２シートの少なくとも一方を部分的に延在させることにより形成されている請求項７記載の子供用使い捨てパッド。
【請求項９】
前記紐の基端部に、該紐を切り離し可能な易引裂き部が設けられている請求項７、８いずれかに記載の子供用使い捨てパッド。
【発明の詳細な説明】
【技術分野】
【０００１】
本発明は、主に子供の汗を吸収するための子供用使い捨てパッドに関する。
【背景技術】
【０００２】
新生児から幼児くらいまでの子供は、新陳代謝が活発で、よく汗をかくことが知られている。汗をかいたまま放置すると、肌表面の熱が奪われ身体が冷えて風邪を引く原因になるとともに、あせもの原因になることがある。このため、子供の汗対策は重要である。
【０００３】
従来より、子供の汗対策として、子供の肌面と衣服との間に挿入して使用する汗取りパッドが知られている。前記汗取りパッドとしては、綿繊維１００％のガーゼ生地や綿繊維と合成繊維を混綿したパイル生地などからなり、洗って何度も使用できるようにしたものが多く市販されている。
【０００４】
このような従来の汗取りパッドを装着するには、本体部分を子供の肌面と衣服との間に挿入し、上端部を衣服の襟元から突出させて衣服の外側に折り返すようにする。
【０００５】
子供用の汗取りパッドとして、下記特許文献１には、幼児が着座する座席に装着する汗取りカバーにおいて、吸水シートと防水シートとを備え、前記防水シートの外側表面に取付け層を設けたものが開示されている。
【０００６】
また、下記特許文献２には、背中にあてる略長方形状のシートからなる背当部の上縁両側に肩当部を設け、背当部の中央上部につまみ部を設けた使い捨てタイプの汗取りパッドが開示されている。
【先行技術文献】
【特許文献】
【０００７】
【特許文献１】特開２００９−１４２４９５号公報
【特許文献２】特開２００２−８８５０８号公報
【発明の概要】
【発明が解決しようとする課題】
【０００８】
しかしながら、従来の綿繊維などからなる汗取りパッドや上記特許文献１記載の汗取りカバーのように、洗って何度も使用できるようにしたものは、洗濯が手間という問題があった。また、洗って何度も使用できる汗取りパッドでは、外出先で交換したとき、使用済みの汗取りパッドを持ち帰る必要があるため、荷物が増えるという欠点があった。
【０００９】
また、上記特許文献２記載の汗取りパッドを装着するには、肩当部を肩に沿って折りあてた後、衣服を着せるという手順で行われるため、汗取りパッドを装着するのにわざわざ衣服を脱がさなければならず手間がかかるとともに、着用時に薄手の汗取りパッドが衣服の中でずれやすいという問題があった。
【００１０】
そこで本発明の主たる課題は、洗濯の手間を無くし、外出時の荷物を減らすとともに、簡単に装着でき、着用中にずれにくくした子供用使い捨てパッドを提供することにある。
【課題を解決するための手段】
【００１１】
上記課題を解決するために請求項１に係る本発明として、吸収体と、前記吸収体の一方の面側に配置される撥水性の第１シートと、前記吸収体の他方の面側に配置される親水性の第２シートとを備えた子供用使い捨てパッドであって、
本体部と、前記本体部の上端から連続して上方に延びる延出部とが備えられ、
前記本体部が前記延出部より幅狭に形成されるとともに、前記本体部と延出部との境界部分の両側部にそれぞれ、幅方向中央側に向けた切り込み部が設けられていることを特徴とする子供用使い捨てパッドが提供される。
【００１２】
上記請求項１記載の発明は、使い捨てタイプのパッドであり、使用後はそのまま廃棄できるから、洗濯の手間が無いとともに、外出時に使用済みパッドを持ち帰る必要がないため、荷物を減らすことができる。
【００１３】
また、本使い捨てパッドでは、本体部と、前記本体部の上端から連続して延びる延出部とが備えられている。かかる使い捨てパッドを子供の背中の汗取り用として使用する場合、親水性の第２シートを肌側に向けて、前記本体部を子供の背中と衣服との間に挿入し、襟元から突出する延出部を衣服の外側に折り返すようにして装着する。ここで、本使い捨てパッドでは、前記本体部が前記延出部より幅狭に形成されるため、本体部を子供の背中と衣服との間に簡単に挿入できるとともに、挿入時に、本体部より幅方向外側に突出する延出部の両側部が襟元に引っ掛かって止まるため、本体部が適切な位置まで挿入されたことが明確に判別でき、装着が簡単になる。更に、前記本体部と延出部との境界部分の両側縁部に、幅方向中央側に向けた切り込み部が設けられているため、襟元から突出する延出部を衣服の外側に折り返した際、この切り込み部が襟元に引っ掛かって固定されるため、着用中に子供が激しく動いても本体部がずれにくく、確実に汗を吸収できるようになる。
【００１４】
また、本発明に係る子供用使い捨てパッドの使用形態は、上述のように子供の背中と衣服との間に挿入して使用する他、子供の胸と衣服との間に挿入して使用したり、親水性の第２シートを外面側に向けて前掛けとして使用したり、親水性の第２シートを子供側に向けるとともに、前記本体部に胴部、前記延出部に頭部をそれぞれ配置して、ベビーカーの汗取りカバーとして使用することも可能である。
【００１５】
請求項２に係る本発明として、前記第２シートは、親水性のセルロース系繊維を含有する請求項１記載の子供用使い捨てパッドが提供される。
【００１６】
上記請求項２記載の発明では、前記第２シートに親水性のセルロース系繊維が含有されているため、肌触りが柔軟になり、装着性に優れるとともに、汗を素早く吸収できるようになる。
【００１７】
請求項３に係る本発明として、前記第１シートは、撥水性の不織布からなる請求項１、２いずれかに記載の子供用使い捨てパッドが提供される。
【００１８】
上記請求項３記載の発明では、通気性を妨げないように、前記第１シートとして不織布を使用するとともに、吸収体に吸収された汗を衣服に滲出しにくくするため、撥水性を有するものを使用している。
【００１９】
請求項４に係る本発明として、前記本体部及び延出部にそれぞれ、所定の間隔で複数の中央圧搾部が設けられている請求項１〜３いずれかに記載の子供用使い捨てパッドが提供される。
【００２０】
上記請求項４記載の発明では、前記本体部及び延出部にそれぞれ、所定の間隔で複数の中央圧搾部を設けているため、第２シートから吸収体へ汗が移行しやすくなるとともに、接着剤を塗布しなくても吸収体と各シート同士が接合しやすくなるため、通気性が確保できる。
【００２１】
請求項５に係る本発明として、前記吸収体の周縁に沿って、所定の間隔で複数の周縁圧搾部が設けられ、隣り合う前記周縁圧搾部同士の間隔は、隣り合う前記中央圧搾部同士の間隔より狭い請求項４記載の子供用使い捨てパッドが提供される。
【００２２】
上記請求項５記載の発明では、前記吸収体の周縁に沿って、所定の間隔で複数の周縁圧搾部を設けている。この周縁圧搾部同士の配置間隔は、前記中央圧搾部同士の配置間隔より狭くしている。これによって、吸収体に吸収された汗が吸収体の周縁から外部に滲出するのが抑えられる。
【００２３】
請求項６に係る本発明として、前記延出部の外形線は、外方に膨出する滑らかな単一の曲線からなるか、外方に膨出する複数の曲線を連設してなる請求項１〜５いずれかに記載の子供用使い捨てパッドが提供される。
【００２４】
上記請求項６記載の発明では、前記延出部の外形線を、外方に膨出する滑らかな単一の曲線で構成するか、外方に膨出する複数の曲線を連接して構成しているため、この延出部が身体の丸みに沿って変形しやすくなるとともに、装着時に衣服の外側に折り返した際のデザイン性が良好になる。
【００２５】
請求項７に係る本発明として、前記延出部の両側部にそれぞれ、一端が固定された紐が備えられている請求項１〜６いずれかに記載の子供用使い捨てパッドが提供される。
【００２６】
上記請求項７記載の発明では、前記延出部の両側部にそれぞれ、一端が固定された紐を設けているため、前掛けとして使用する場合や、ベビーカーの汗取りカバーとして使用する場合の固定用として利用することができる。
【００２７】
請求項８に係る本発明として、前記紐は、前記第１シート及び第２シートの少なくとも一方を部分的に延在させることにより形成されている請求項７記載の子供用使い捨てパッドが提供される。
【００２８】
上記請求項８記載の発明では、前記紐として、第１シート及び第２シートの少なくとも一方を部分的に延在させることにより形成している。第２シートを延在させた場合には、本使い捨てパッドを前掛けとして使用する使用形態において、紐を首の後ろで結んだ際、紐が首周りに当たっても肌当たりが柔軟になる。
【００２９】
請求項９に係る本発明として、前記紐の基端部に、該紐を切り離し可能な易引裂き部が設けられている請求項７、８いずれかに記載の子供用使い捨てパッドが提供される。
【００３０】
上記請求項９記載の発明では、前記紐の基端部に、該紐を切り離し可能な易引裂き部が設けられているため、本使い捨てパッドを子供の肌面と衣服との間に挿入する汗取りパッドとして使用する使用形態などにおいて、紐が不要な場合、この紐を前記易引裂き部から引き裂いて切り離して装着ことができる。
【発明の効果】
【００３１】
以上詳説のとおり本発明によれば、洗濯の手間が無くなり、外出時の荷物が減るとともに、簡単に装着でき、着用中にずれにくくなる。
【図面の簡単な説明】
【００３２】
【図１】本発明に係る子供用使い捨てパッド１を示す一部破断展開図である。
【図２】図１のII−II線矢視図である。
【図３】汗取りパッドとして使用する場合の装着手順を示す斜視図である。
【図４】変形例に係る子供用使い捨てパッド１の平面図である。
【図５】中央圧搾部８の平面図である。
【図６】周縁圧搾部９の平面図である。
【図７】変形例に係る子供用使い捨てパッド１の平面図である。
【図８】変形例に係る子供用使い捨てパッド１の平面図である。
【発明を実施するための形態】
【００３３】
以下、本発明の実施の形態について図面を参照しながら詳述する。
【００３４】
本発明に係る子供用使い捨てパッド１（以下、単に「使い捨てパッド１」ともいう。）は、図１及び図２に示されるように、撥水性の不織布などからなる第１シート２と、親水性の第２シート３と、これら両シート２、３間に介装された綿状パルプまたは合成パルプなどからなる吸収体４とから構成されている。つまり、前記吸収体４の一方の面側に前記第１シート２が配置され、前記吸収体４の他方の面側に前記第２シート３が配置されている。前記第１シート２、第２シート３及び吸収体４は、ほぼ同等の大きさで形成され、各層が所定の領域に施された圧搾部や接着剤などの接合手段によって接合されている。
【００３５】
本使い捨てパッド１は、使用後にそのまま廃棄する使い捨てタイプのものである。そのため、使用後に使用済みのパッドを洗濯する手間が無いとともに、外出時に使用済みパッドを持ち帰る必要がないため、外出時の荷物を減らすことができるようになる。
【００３６】
前記第１シート２としては、通気性を妨げないように、不織布を用いるのが好ましい。不織布の加工法としては、スパンボンド法、サーマルボンド法、スパンレース法、メルトブローン法、ニードルパンチ法等の適宜の方法を用いることができるが、嵩を小さくできるスパンボンド法が特に好ましい。
【００３７】
また、前記第１シート２としては、吸収体４に吸収された汗等が第１シート２を浸透して外部に滲出するのを防止するため、撥水性を有するものが用いられる。撥水性の第１シート２としては、ポリエチレンまたはポリプロピレン等のオレフィン系、ポリエステル系、ポリアミド系等の合成繊維を用いることにより素材自体に撥水性を有するものを用いるのが好ましいが、綿繊維等の親水性繊維の不織布に、撥水剤を外添塗布して使用してもよい。撥水剤としては、パラフィン系、シリコン系等の既知のもののうち、肌への刺激性の少ないものを適宜選択して使用することができるが、ステアリン酸アミド、ステアリン酸亜鉛、ステアリン酸カルシウム、ステアリン酸ジエタノールアミド、ステアリン酸マグネシウム等の刺激性の少ない油脂を適宜選択して使用することがより好ましく、この他にも繊維に塗布される撥水剤として公知の撥水剤であればどのようなものを適用しても良い。前記撥水剤の塗布は、第１シート２の外面のみでもよいし、外面と内面の両面に施してもよい。少なくとも外面に撥水処理を施すことにより、第１シート２の少なくとも外面が撥水性を有するようになり、吸収体４に吸収された液の滲み出しが防止できる。
【００３８】
前記第２シート３は、親水性の繊維で構成されている。前記第２シート３を構成する繊維は、親水性のセルロース系繊維を含有するのが好ましい。前記親水性のセルロース系繊維としては、綿繊維やパルプ繊維などの天然由来のものや、レーヨン繊維、アセテート繊維、リヨセル繊維などの人工セルロース系繊維が挙げられる。前記綿繊維としては、木綿の原綿、精錬・漂白した綿繊維あるいは精錬・漂白後、染色を施した綿繊維、精錬・漂白した脱脂綿繊維、さらには糸もしくは布帛になったものを解繊した反毛等、あらゆる綿繊維を使用できるが、第２シート３における液の吸収スピード及び拡散性を高めるため、特に綿繊維の表面に付着しているコットンワックスの天然油脂を脱脂した脱脂綿繊維を使用するのが好ましい。前記第２シート３は、親水性のセルロース系繊維のみから構成され、化学繊維を含有しないのが望ましいが、セルロース系繊維の含有率が５０重量％以上、好ましくは９０重量％以上であればそれ以外の繊維を含んでいてもよい。特に望ましい形態は、セルロース系繊維が１００重量％のセルロース系繊維のみからなるものである。
【００３９】
特に、前記第２シート３として、綿繊維１００重量％からなるスパンレース不織布を用いるのが望ましい。これにより、第２シート３における液の吸収スピードがより速くなるとともに、面方向への液拡散性に特に優れるようになる。綿繊維１００重量％とは、綿繊維単独で使用され、化学繊維を含まないことである。前記第２シート３の不織布の加工法は問わないが、第２シート３における液の吸収スピード及び拡散性を高めるため、スパンレース法を用いるのが好ましい。スパンレース不織布は、接着剤を使用しない、柔軟性に優れる等の利点を有する。
【００４０】
前記第１シート２と第２シート３との間に介在される吸収体４は、汗等の液を吸収保持する性質を有するものであれば公知のものを使用できる。たとえば、パルプ、高吸水性樹脂などを含むことができる。また、パルプ中に化学繊維を混入させてもよい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４としては、積繊体でもよいが、嵩を小さくできるエアレイド吸収体を用いるのが好ましい。前記エアレイド吸収体としては、パルプのみからなる不織布又はパルプとポリマーとからなる不織布でも良いし、その他バインダが含まれていても良い。また、２層の不織布層間に高吸水性樹脂を配置してなるポリマーシートを用いてもよい。吸収体４の目付けとしては、５０〜１５０ｇ／ｍ２とするのがよい。前記吸収体４は、形状保持、および汗等の液を速やかに拡散させるとともに、一旦吸収した液の逆戻りを防止するためにクレープ紙又は不織布などからなる被包シートによって囲繞してもよい。
【００４１】
本使い捨てパッド１は、図１に示されるように、本体部５と、前記本体部５の上端から連続して上方に延びる延出部６とを備えている。使い捨てパッド１を構成する第１シート２、第２シート３及び吸収体４は、前記本体部５及び延出部６のほぼ全面に亘って連続的に配置されている。
【００４２】
本使い捨てパッド１の使用形態としては、図３に示されるように、親水性の第２シート３を肌側に向けて前記本体部５を子供の背中と衣服との間に挿入し、前記延出部６を襟元から外に出して、所定の折り線Ｒ位置にて衣服の外側に折り返すようにして装着し、背中の汗を吸収する汗取りパッドとして使用することができる。また、子供の胸と衣服との間に挿入して前側の汗を吸収する汗取りパッドとして使用してもよい。この他に、親水性の第２シート３を外面側に向けて前掛けとして使用したり、親水性の第２シートを子供側に向けるとともに、前記本体部５に胴部、前記延出部６に頭部をそれぞれ配置して、ベビーカーの汗取りカバーとして使用することも可能である。
【００４３】
前記本体部５は、図１に示されるように、前記延出部６と比較して相対的に大きな面積で形成され、平面視略方形状を成している。前記本体部５の幅寸法及び縦寸法は子供の身体の大きさに合わせて任意に設定できるが、幅寸法Ｗ５としては１００〜１５０ｍｍ、縦寸法Ｌ５としては２００〜２５０ｍｍの縦長に形成するのが好ましい。
【００４４】
前記延出部６は、図１に示されるように、前記本体部５と比較して相対的に小さな面積で形成され、外形線が外方側に向けて膨出する曲線形状を成している。前記延出部６の幅寸法及び縦寸法は子供の身体の大きさに合わせて任意に設定できるが、幅寸法Ｗ６としては、１５０〜２００ｍｍ、縦寸法Ｌ６としては１００〜１５０ｍｍに形成するのが好ましい。
【００４５】
前記本体部５は、前記延出部６より幅狭に形成されている。すなわち、本体部５の幅寸法Ｗ５が、延出部６の幅寸法Ｗ６より小さく形成され、本体部５の側縁より幅方向外側に、延出部６の側縁部が突出して形成されている。
【００４６】
このように、本体部５が延出部６より幅狭に形成されることによって、前記本体部５を子供の背中と衣服との間に挿入する汗取りパッドとしての使用形態において、前記本体部５が子供の背中と衣服との間に簡単に挿入できるようになるとともに、挿入時に、前記本体部５より幅方向外側に突出する延出部６の両側部が衣服の襟元に引っ掛かって止まるため、本体部５が適切な位置まで挿入されたことが明確に判別でき、簡単に装着位置が決定できるようになる。従来の汗取りパッドでは、襟元に引っ掛ける部分が、衣服の中に挿入する部分より幅狭に形成されていたため、挿入完了の位置が明確でなく、その都度装着位置が異なっていた。
【００４７】
また、本使い捨てパッド１では、図１に示されるように、前記本体部５と延出部６との境界部分の両側部にそれぞれ、幅方向中央側に向けて延びる切り込み部７、７が設けられている。前記切り込み部７は、前記使い捨てパッド１を構成する部材（第１シート２、第２シート３及び吸収体４）を厚み方向の全体に亘って切断した切断部であり、使い捨てパッド１の側縁から幅方向中央に向けて略幅方向に沿って延びている。この両側の切り込み部７、７の幅方向中央側の端部同士を結ぶ位置に、汗取りパッドとしての使用形態における延出部６の折り線Ｒが設けられるようになる。
【００４８】
前記切り込み部７を設けることにより、汗取りパッドとしての使用形態において襟元から突出する延出部６を衣服の外側に折り返す際、本体部５と延出部６との境界部に折り線Ｒが形成されやすくなり、延出部６を衣服の外側に折り返しやすくなるとともに、前記切り込み部７が襟元に引っ掛かって固定されるため、着用中に子供が激しく動いても本体部５がずれにくく、確実に汗を吸収できるようになる。また、前記切り込み部７を設けることにより、延出部６に拘束されることなく、本体部５の両側部が子供の肌面に沿って変形しやすくなり、本体部５と子供の肌面との密着性が向上して、より確実に汗が吸収できるとともに、装着感が向上する。
【００４９】
上述の効果をより確実に発揮する観点から、前記切り込み部７は、前記本体部５の側縁から幅方向に沿った長さＳを本体部５の幅寸法Ｗ５の１０〜２０％で形成するのが好ましい。また、前記切り込み部７は、使い捨てパッド１の上端からの長さが１００〜１５０ｍｍとなる位置（前記延出部６の縦寸法Ｌ６とほぼ同じ長さ）に形成するのが好ましい。
【００５０】
また、前記切り込み部７は、図１に示されるように、使い捨てパッド１の平面視において、円弧形状で形成するのが好ましい。具体的には、延出部６の外方側に膨出する外形線を内側に延長した形状、即ち下方側に膨出する円弧形状で形成するのが好ましい。これにより、延出部６を折り返した際に、切り込み部７が襟元に引っ掛かりやすくなるとともに、衣服の外側に折り返される延出部６が全体的に丸みを帯びた形状で形成されるため、外観が良好になる。
【００５１】
図４に示されるように、前記本体部５及び延出部６にそれぞれ、所定の間隔で複数の中央圧搾部８、８…を設けるのが好ましい。前記中央圧搾部８は、前記第２シート３の外面側からの圧搾により、前記第２シート３の表面に形成された、前記第２シート３、吸収体４及び第１シート２を一体的に前記第１シート２側に向けて窪ませた凹部である。前記中央圧搾部８が設けられる使い捨てパッド１の中央領域とは、吸収体４の外縁から１５ｍｍ以上内側の領域のことである。
【００５２】
前記中央圧搾部８を設けることにより、第２シート３から吸収体４へ汗が移行しやすくなるとともに、使い捨てパッド１の中央領域に接着剤を塗布しなくても吸収体４と第１シート２及び第２シート３とが接合しやすくなるため、非通気性の接着剤を塗布することによる通気性の低下が抑えられるようになる。
【００５３】
隣り合う前記中央圧搾部８、８同士の間隔は、１０〜５０ｍｍとするのがよい。１０ｍｍより小さいと、平面方向に液が拡散しにくくなるおそれがある。５０ｍｍより大きいと、中央圧搾部８を設けた効果が充分に発揮されず、汗の吸収性能が低下する。
【００５４】
また、中央圧搾部８の１つ当たりの大きさ（平面視したときに最も大きな方向の長さ寸法）は、１〜５ｍｍが好ましい。１ｍｍより小さいと、エンボス加工時にシートにかかる応力が大きすぎて、破れが生じやすくなる。５ｍｍより大きいと、装着時に中央圧搾部８の硬さを感じやすくなり、装着感が低下するおそれがある。
【００５５】
前記中央圧搾部８の平面形状としては、公知の形状を任意に用いることができる。例えば、図４に示されるように、四角形でもよいし、図５に示されるように、(A)円形、(B)ハート形、(C)星形、(D)三日月形などでもよい。また、複数の中央圧搾部８の平面配置パターンも任意であり、図４に示される例では正格子状に配置しているが、千鳥格子状などで配置してもよい。また、図示例では、本体部５及び延出部６に一様に連続するパターンで配置しているが、それぞれの部位で異なるパターンで配置してもよい。
【００５６】
一方、図４に示されるように、使い捨てパッド１の周縁部には、前記吸収体４の周縁に沿って、所定の間隔で複数の周縁圧搾部９、９…を設けるのが好ましい。前記周縁圧搾部９は、前記中央圧搾部８と同様に、前記第２シート３の外面側からの圧搾により、前記第２シート３の表面に形成された、前記第２シート３、吸収体４及び第１シート２を一体的に前記第１シート２側に向けて窪ませた凹部である。前記周縁圧搾部９が設けられる使い捨てパッド１の周縁領域とは、吸収体４の外縁から内側に１０〜１５ｍｍ以内の領域のことである。
【００５７】
隣り合う前記周縁圧搾部９、９同士の間隔は、隣り合う前記中央圧搾部８、８同士の間隔より狭くするのが好ましい。これによって、吸収体４に吸収された液が吸収体４の周縁から外部に滲出するのが抑えられる。より効果的にこのような効果を発揮する具体的な間隔としては、１０ｍｍ未満、好ましくは１〜８ｍｍとするのがよい。
【００５８】
また、前記周縁圧搾部９の１つ当たりの大きさ（平面視したときに最も大きな方向の長さ寸法）は、１〜５ｍｍが好ましい。上述した中央圧搾部８と同様に、１ｍｍより小さいと、エンボス加工時にシートにかかる応力が大きすぎて、破れが生じやすくなる。５ｍｍより大きいと、装着時に中央圧搾部８の硬さを感じやすくなり、装着感が低下するおそれがある。
【００５９】
前記周縁圧搾部９の平面形状及びその配置パターンとしては任意であり、図４に示されるように、複数のドットを千鳥格子状又は正格子状のパターンで配置してもよいし、図６に示されるように、(A)三日月形の圧搾部を半ピッチずつずらして交互に対向して配置したパターン、(B)複数のドットを千鳥格子状に配置するとともに、所定の間隔で花びら形状を成す大面積部を設けたパターンとしてもよい。このとき、吸収体４の周縁に沿って延びる周縁圧搾部９、９…は、少なくとも内周側と外周側の２列で配置されるとともに、内周側の圧搾部９と外周側の圧搾部９とが、使い捨てパッド１の内側から外側に向けて重なるパターンで配置することにより、内側から外側に向けて拡散する液を周縁圧搾部９…によって確実に塞き止めることができるようになるため好ましい。
【００６０】
各層間の接着剤の塗布領域としては、前記第２シート３と吸収体４との間においては、前記周縁圧搾部９…が設けられる周縁領域に設けてもよいが、前記中央圧搾部８…が設けられる中央領域には設けないのが望ましい。中央領域に接着剤層を設けると、第２シート３から吸収体４への液移行がしにくくなる。また、前記吸収体４と第１シート２との間においては、吸収体４のズレやヨレを防止する観点から、ほぼ全面に亘って、通気性を低下させにくい間欠的な塗布パターン、具体的には、スパイラル塗布、所定の間隔で複数配置したビート状塗布などが好ましい。
【００６１】
前記延出部６の外形線は、図１に示されるように、滑らかな単一の曲線で構成してもよいし、図７に示されるように、複数の曲線を連設することにより、外方側に膨出する複数の凸部が形成されるようにしてもよい。図７(A)では、幅方向中央部に凹部が設けられ、その両側にそれぞれ外方側に膨出する凸部が形成されている。また、図７(B)では、複数の凹部が設けられ、隣り合う凹部の間及び最も外方側に位置する凹部の外側にそれぞれ凸部が形成され、外観がレースをイメージさせる形状となっている。このように、延出部６の外形線を曲線で形成することにより、この延出部６が身体の丸みに沿って変形しやすくなるとともに、装着時に衣服の外側に折り返した際のデザイン性が良好となる。
【００６２】
図８に示されるように、前記延出部６の両側部にそれぞれ、一端が固定された紐１０を設けるようにしてもよい。この紐１０は、使い捨てパッド１を前掛けとして使用した際に、首の後ろで結んで固定する固定用として用いることができ、また、使い捨てパッド１をベビーカーの汗取りカバーとして使用した際に、使い捨てパッド１をベビーカーに固定する固定用として使用することができる。
【００６３】
この紐１０は、同図８に示されるように、前記前記第２シート３を所定幅で部分的に延在させることにより形成することができる。つまり、延出部６を構成するシート部材の一部を延在させることにより、前記紐１０を延出部６に設けるようにすることができる。図示例では、本体部５の側縁より両側に突出する延出部６の部分において、本体部５の両側縁に沿って、後側に延びる紐１０、１０が設けられている。この紐１０は、第２シート３を本体部５の側縁より幅方向外側に延在させ、本体部５の側縁に沿って、本体部５の後端から延出部６まで延びるスリット１１を設けることによって、本体部５から切り離された第２シート３の部分によって形成することができる。また、前記第２シート３に代えて前記第１シート２によって形成してもよいし、前記第２シート３及び第１シート２をともに延在させてホットメルト接着剤によって接合した２層の貼り合わせシート部によって形成してもよい。
【００６４】
一方、紐状の別部材の一端を、前記延出部６に接着剤やヒートシールなどの接合手段で接合することによって、前記紐１０が延出部６に設けられるようにしてもよい。
【００６５】
前記紐１０の基端部に、この紐１０を切り離し可能な易引裂き部を設けることができる。図８に示される例では、延出部６との境界部に、紐１０を幅方向に貫くミシン目１２が設けられている。前記ミシン目１２から紐１０を簡単に切り離しできるようにすることによって、本使い捨てパッド１を子供の肌面と衣服との間に挿入する汗取りパッドとして使用する場合など、紐１０が不要な使用形態において、紐１０が邪魔にならずに装着できるようになる。
【符号の説明】
【００６６】
１…使い捨てパッド、２…第１シート、３…第２シート、４…吸収体、５…本体部、６…延出部、７…切り込み部、８…中央圧搾部、９…周縁圧搾部、１０…紐、１１…スリット、１２…ミシン目
【図１】
2020139236.tif 000003
【図２】
2020139236.tif 000004
【図３】
2020139236.tif 000005
【図４】
2020139236.tif 000006
【図５】
2020139236.tif 000007
【図６】
2020139236.tif 000008
【図７】
2020139236.tif 000009
【図８】
2020139236.tif 000010